(57)【要約】【課題】  画像形成のためのマルチ光源による露光前に各チャンネルの光量の補正を行うときに、その補正の精度を向上できる画像形成装置及び画像形成方法を提供する。【解決手段】  この画像形成方法は、複数色の２値画像データに基づいてマルチ光源により記録材料に露光することで画像形成を行う際に、マルチ光源の各チャンネル毎の光源駆動値と測光値とのテーブルを記憶し、露光前に画像データに対応した光源駆動値でマルチ光源を発光させ、マルチ光源の複数チャンネル毎にその光量を測定し、光源駆動値を測定による測光値に基づいて補正する。【選択図】  図８
2005164929.tif 000002
【特許請求の範囲】
【請求項１】
複数色の２値画像データに基づいて複数色光源からなるマルチ光源により記録材料に露光を行う露光手段と、
前記マルチ光源の複数チャンネル毎にその光量を測定する測定手段と、
前記マルチ光源の各チャンネル毎の光源駆動値と測光値とのテーブルを記憶する手段と、
前記マルチ光源の各チャンネルの露光前の前記測定手段による測光値に基づいて前記テーブルを補正する手段と、を備え、
露光前に前記画像データに対応した光源駆動値で前記マルチ光源を発光させたときの前記測定手段による測光値に基づいて前記テーブルの光源駆動値を補正することを特徴とする画像形成装置。
【請求項２】
前記露光前に光量を測光する際の光源駆動値を、前記記録材料に画像を露光する際の光源駆動値とすることを特徴とする請求項１に記載の画像形成装置。
【請求項３】
前記テーブルを前記複数色光源及び前記複数チャンネル毎に作成し、前記２値画像データの複数色の各１次色について前記テーブル及び前記測定手段による測光値から補正係数を求め、その補正係数に基づいて対応する前記各テーブルの光源駆動値を補正し、
前記２値画像データの複数色の各２次色乃至各複数次色について前記各１次色でそれぞれ求めた各補正係数に基づいて対応する前記各テーブルの光源駆動値を補正することを特徴とする請求項１または２に記載の画像形成装置。
【請求項４】
前記テーブルを前記複数色光源及び前記複数チャンネル毎に作成し、前記２値画像データの複数色の各１次色乃至各複数次色について前記テーブル及び前記測定手段による測光値から補正係数をそれぞれ求め、前記各補正係数に基づいて対応する前記各テーブルの光源駆動値を補正することを特徴とする請求項１または２に記載の画像形成装置。
【請求項５】
複数色の２値画像データに基づいてマルチ光源により記録材料に露光することで画像形成を行う画像形成方法であって、
前記マルチ光源の各チャンネル毎の光源駆動値と測光値とのテーブルを記憶するステップと、
露光前に前記画像データに対応した光源駆動値で前記マルチ光源を発光させるステップと、
前記マルチ光源の複数チャンネル毎にその光量を測定するステップと、
前記光源駆動値を前記測定による測光値に基づいて補正するステップと、を含むことを特徴とする画像形成方法。
【請求項６】
前記露光前に光量を測光する際の光源駆動値を、前記記録材料に画像を露光する際の光源駆動値とすることを特徴とする請求項５に記載の画像形成方法。
【請求項７】
前記補正した光源駆動値による前記テーブルを用いて前記マルチ光源を発光させて前記記録材料に露光を行うことで画像形成を行うことを特徴とする請求項５または６に記載の画像形成方法。
【発明の詳細な説明】
【技術分野】
【０００１】
本発明は、マルチ光源で露光を行う画像形成装置及び画像形成方法に関するものである。
【背景技術】
【０００２】
マルチ光源で銀塩カラー感光材料を露光し画像を形成する画像形成装置として、例えば、印刷版の原版を作成するための画像データの確認を行うカラープルーフ（校正物）を作成する画像形成装置が公知である。かかる画像形成装置は、複数色の複数の光ビームをそれぞれ異なる発光ダイオードや半導体レーザ等の発光素子から発生させ、１つの光ビームとして合成し、銀塩カラー感光材料に照射する。光ビームの光量を画像データに基づいて変化させて銀塩カラー感光材料に露光することでカラー画像を形成する。
【０００３】
上述のようなマルチ光源の露光部を備える画像形成装置では、露光前にマルチ光源の各チャンネルの光量を測定し光量を補正する。この露光前に光量を測光する際には、光源を固定の光源駆動値で発光させていた。このため、露光前に光量を測光する際の光源駆動値と、実際に画像を露光する際の光源駆動値との差が大きい場合等には、補正の誤差が大きくなり、補正精度が低下してしまう可能性がある。
【特許文献１】特開２０００−４３３１４公報
【発明の開示】
【発明が解決しようとする課題】
【０００４】
本発明は、上述のような従来技術の問題に鑑み、画像形成のためのマルチ光源による露光前に各チャンネルの光量の補正を行うときに、その補正の精度を向上できる画像形成装置及び画像形成方法を提供することを目的とする。
【課題を解決するための手段】
【０００５】
上記目的を達成するために、本発明による画像形成装置は、複数色の２値画像データに基づいて複数色光源からなるマルチ光源により記録材料に露光を行う露光手段と、前記マルチ光源の複数チャンネル毎にその光量を測定する測定手段と、前記マルチ光源の各チャンネル毎の光源駆動値と測光値とのテーブルを記憶する手段と、前記マルチ光源の各チャンネルの露光前の前記測定手段による測光値に基づいて前記テーブルを補正する手段と、を備え、露光前に前記画像データに対応した光源駆動値で前記マルチ光源を発光させたときの前記測定手段による測光値に基づいて前記テーブルの光源駆動値を補正することを特徴とする。
【０００６】
この画像形成装置によれば、画像形成のためのマルチ光源による露光前に各チャンネルの光量の補正を行うときに、実際に露光する際の画像データに対応した光源駆動値（補正前）でマルチ光源を発光させて測定した測光値に基づいてテーブルの光源駆動値を補正するので、例えばマルチ光源、光源駆動回路、測光回路等に起因する誤差（光源駆動値と測光値とのテーブルにおけるリニアリティの誤差）の影響を受け難くなり、補正精度を向上できる。また、画像データに対応する発色濃度に極端な値が設定された場合でも、露光前にその発色濃度に対応した光源駆動値で発光させて補正を行うため、正確に補正できる。
【０００７】
上記画像形成装置において前記露光前に光量を測光する際の光源駆動値を、前記記録材料に画像を露光する際の光源駆動値とすることが好ましい。
【０００８】
また、前記テーブルを前記複数色光源及び前記複数チャンネル毎に作成し、前記２値画像データの複数色の各１次色について前記テーブル及び前記測定手段による測光値から補正係数を求め、その補正係数に基づいて対応する前記各テーブルの光源駆動値を補正し、前記２値画像データの複数色の各２次色乃至各複数次色について前記各１次色でそれぞれ求めた各補正係数に基づいて対応する前記各テーブルの光源駆動値を補正するようにできる。例えば、１次色（Ｙ、Ｍ、Ｃ）に対応する光量で、例えば、ＢＧＲの複数色光源からなるマルチ光源を発光させて求めた補正係数により、２次色、３次色、４次色、・・・の補正を行う。
【０００９】
また、前記テーブルを前記複数色光源及び前記複数チャンネル毎に作成し、前記２値画像データの複数色の各１次色乃至各複数次色について前記テーブル及び前記測定手段による測光値から補正係数をそれぞれ求め、前記各補正係数に基づいて対応する前記各テーブルの光源駆動値を補正するようにしてもよい。例えば、１次色乃至４次色に対応する光量の全てについて発光させてそれぞれ求めた補正係数で１次色乃至４次色の補正を行う。
【００１０】
本発明による画像形成方法は、複数色の２値画像データに基づいてマルチ光源により記録材料に露光することで画像形成を行う画像形成方法であって、前記マルチ光源の各チャンネル毎の光源駆動値と測光値とのテーブルを記憶するステップと、露光前に前記画像データに対応した光源駆動値で前記マルチ光源を発光させるステップと、前記マルチ光源の複数チャンネル毎にその光量を測定するステップと、前記光源駆動値を前記測定による測光値に基づいて補正するステップと、を含むことを特徴とする。
【００１１】
この画像形成方法によれば、画像形成のためのマルチ光源による露光前に各チャンネルの光量の補正を行うときに、実際に露光する際の画像データに対応した光源駆動値（補正前）でマルチ光源を発光させて測定した測光値に基づいてテーブルの光源駆動値を補正するので、例えばマルチ光源、光源駆動回路、測光回路等に起因する誤差（光源駆動値と測光値とのテーブルにおけるリニアリティの誤差）の影響を受け難くなり、補正精度を向上できる。また、画像データに対応する発色濃度に極端な値が設定された場合でも、露光前にその発色濃度に対応した光源駆動値で発光させて補正を行うため、正確に補正できる。
【００１２】
上記画像形成方法において前記露光前に光量を測光する際の光源駆動値を、前記記録材料に画像を露光する際の光源駆動値とすることが好ましい。
【００１３】
また、前記補正した光源駆動値による前記テーブルを用いて前記マルチ光源を発光させて前記記録材料に露光を行うことで画像形成を行うようにできる。
【００１４】
なお、前記テーブルを前記複数色及び前記複数チャンネル毎に作成し、前記複数色の各１次色について前記テーブル及び前記測定による測光値から補正係数を求め、その補正係数に基づいて対応する前記各テーブルの光源駆動値を補正し、前記複数色の各２次色乃至各複数次色について前記各１次色でそれぞれ求めた各補正係数に基づいて対応する前記各テーブルの光源駆動値を補正するようにできる。
【００１５】
また、前記テーブルを前記複数色及び前記複数チャンネル毎に作成し、前記複数色の各１次色乃至各複数次色について前記テーブル及び前記測定による測光値から補正係数をそれぞれ求め、前記各補正係数に基づいて対応する前記各テーブルの光源駆動値を補正するようにしてもよい。
【発明の効果】
【００１６】
本発明の画像形成装置及び画像形成方法によれば、画像形成のためのマルチ光源による露光前に各チャンネルの光量の補正を行うときに、その補正の精度を向上できる。
【発明を実施するための最良の形態】
【００１７】
以下、本発明による実施の形態について図面を用いて説明する。図１は本実施の形態による画像形成装置全体の外観を示す斜視図である。図２は図１の画像形成装置の内部を正面側から見た図である。図３は図２の画像形成装置のドラム及び光学ユニットを上部から見た要部平面図である。
【００１８】
図１、図２に示すように、本実施の形態による画像形成装置１は、印刷出力対象の絵柄、色調、文章、文字等の確認を行うためのカラープルーフ（校正用サンプル）を作成するものであって、記録材料である銀塩カラー感光材料（以下、単に「感光紙」ともいう。）に露光し画像を形成する露光ユニット１１と、露光された感光紙を現像する現像ユニット２１と、を備える。
【００１９】
露光ユニット１１は、前面からメンテナンスできるように開閉可能な前面パネル５と、各種情報の表示とタッチパネルからなり装置全体の操作のために入力可能な表示部２と、内部にロール状の銀塩カラー感光材料である感光紙を収容したカートリッジ１３を給紙カバー３，４の開放後に装填可能な装填部１２，１２’と、を備える。図１では装填部１２，１２’にカートリッジ１３を装填する前、装填した後の状態を示している。
【００２０】
現像ユニット２１は、メンテナンスのために開閉可能な上面パネル６と、前面には、現像処理液等の補充等のために開閉可能に設けられた補給パネル７と、を備える。
【００２１】
図２に示すように、画像形成装置１の露光ユニット１１は、内部にロール状に巻かれたシート状記録材料である感光紙を収納した専用のカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、ドラム１０上の感光紙に対しＬＥＤ光やレーザ光等の光ビームを露光する光学ユニット１６と、光学ユニット１６を副走査のために副走査方向（図１の紙面垂直方向）Ｈ（図３）に搬送する副走査部１７と、画像記録後のドラム１０上の感光紙を剥離する剥離部材１５と、を備える。露光後の感光紙は出口１９及び接続部１９ａを通して現像ユニット２１へと搬送される。
【００２２】
図２の画像形成装置１は、更に、搬送ローラ対４２の下流側に配置されドラム１０に向けて送られる感光紙の搬送に従い従動回転する従動ローラ３１と、感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００２３】
また、搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００２４】
図２の搬送ローラ対４０，４１の下流側近傍には感光紙を切断するカット部１０ａがそれぞれ配置されており、各カット部１０ａはモータ（図示省略）により回転駆動されるロータリカッタを有し、上述の感光紙の長さ測定に基づいて感光紙を所定長さに切断する。
【００２５】
図２の現像ユニット２１は、露光ユニット１１から送られた露光後の感光紙について湿式現像を行うもので、感光紙の現像処理を行う現像部２３と、定着処理を行う定着部２４と、安定処理を行う安定部２５と、乾燥処理を行う乾燥部２６と、乾燥された感光紙を搬送ローラ対２７ａ等で外部に排出する排出部２７と、排出された感光紙を集積する集積部２８と、を備える。
【００２６】
図３のように、画像形成装置１のドラム１０は、回転軸部１４’の回転軸１４ａ及び回転軸部１８ａの回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ６の出力プーリ３５ｂとベルト３６により連結され、ドラム駆動用パルスモータＭ６の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００２７】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて感光紙がドラム１０の表面に吸着される。
【００２８】
光学ユニット１６は、副走査部１７によりドラム軸と平行に移動可能に構成され、ドラム１０に吸着された感光紙に光ビームで露光して画像の書き込みを行う。図３に示すように、光学ユニット１６には、異なる３波長のマルチ光源としてＬＥＤユニット３２０、ＬＥＤユニット３２１、ＬＥＤユニット３２２が配置されている。
【００２９】
各ＬＥＤユニット３２０，３２１，３２２はそれぞれ３２チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１からドラム１０上の感光紙に画像を露光する。露光シャッタ３３２は露光ソレノイド３３３により開閉することで、露光開始／終了時に光路の開閉を行なう。
【００３０】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＲによりＭ（マゼンダ）、ＧによりＣ（シアン）がそれぞれ発色するようになる。
【００３１】
光学ユニット１６は、移動ベルト３４０に固定され、一対のガイドレール３４１、３４２に案内されてドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に副走査方向Ｈ、その反対の方向Ｈ’に移動する。
【００３２】
また、図３のように、回転ドラム１０の外周面のドラム軸と平行の延長上位置にはフォトダイオード等の受光素子からなる測光部５７が配置されており、図３のホームポジションの位置の光学ユニット１６が方向Ｈ’に若干移動し各ＬＥＤユニット３２０〜３２２からの光ビームが測光部５７に入射することで、各チャンネルの各ＬＥＤの光ビームの光量を測定できるようになっている。
【００３３】
図３に示すように、吸引ブロアＰ１は空気吸引ポンプにより吸引連結管５１を通してドラム１０内を吸引し、露光ユニット１１による露光開始前にドラム１０内を負圧にし感光紙を外周面に吸着する。
【００３４】
次に、各ＬＥＤユニット３２０〜３２２及び測光部５７について更に図４，図５を参照して説明する。図４は図３の複数のＬＥＤユニット３２０〜３２２により構成される３２チャンネル分の光源からの光ビームが並んだ状態を示す平面図である。図５は図４の３２チャンネルの光源からの光ビームのスポットが測光部の受光面上に並んだ状態を示す平面図である。
【００３５】
複数のＬＥＤユニット３２０〜３２２は、各３２チャンネル分のＬＥＤから光ビームが図３の集光レンズ３３１から出射すると、図４のように左端のチャンネル５９ａから右端のチャンネル５９ｅまでの３２チャンネル分の光ビーム５９がドラム１０上の感光紙を同時に照射し、このとき、各チャンネル５９ａ〜５９ｅから波長の異なるＢ、Ｇ、Ｒの複数の光ビームが出射できるようになっている。なお、図４のように、光源の各チャンネル５９ａ〜５９ｅは副走査方向Ｈにほぼ平行に並んでいるが、副走査方向Ｈに対し傾斜するように並べてもよい。
【００３６】
複数のＬＥＤユニット３２０〜３２２からの各光ビームが測光部５７に照射できる位置に図４の光学ユニット１６が移動すると、図５のように測光部５７の受光面５８内に３２チャンネル分の光ビーム５９が照射されるようになっている。各ＬＥＤユニット３２０〜３２２の各ＬＥＤを駆動し、図４の例えば左端のチャンネル５９ａから順々に発光させることで、各チャンネル５９ａ〜５９ｅの光ビームの光量を測光部５７で測定し、測光部５７の測光回路からの測定信号（測光値）に基づいて露光量の補正を行う。
【００３７】
図６は、図１〜図５の画像形成装置１の露光ユニット１１における画像データの流れ及び画像形成装置１の制御系のブロック図である。図７は、図６における濃度−露光量テーブルの例を示すグラフ（ａ）であり、光源駆動値−測光値テーブルの例を示すグラフ（ｂ）である。
【００３８】
図６に示すように、図１〜図３の画像形成装置１は、カラープルーフを作成するために外部の画像処理装置であるＲＩＰ(Raster Image Processor)４９でラスターデータから網点画像データを作成し、この網点画像データがＲＩＰ４９から露光ユニット１１に転送されるようになっている。
【００３９】
露光ユニット１１は、図６のように、外部のＲＩＰ４９からのＹＭＣＫの２値網点画像データが入力する画像データＩ／Ｆ部５２と、画像データＩ／Ｆ部５２からの網点画像データをいったん記憶し随時出力するハードディスク記憶装置等からなるデータバッファ５３と、データバッファ５３からのＹＭＣＫの２値網点画像データに対する光源駆動値を対応づけて感光紙に対する露光のための露光データとするルックアップテーブル（ＬＵＴ）５４と、ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００４０】
図６の制御部５０は、中央演算処理装置（ＣＰＵ）等から構成され、測光部５７の測光回路等からの信号が入力し、画像データＩ／Ｆ部５２、データバッファ５３、ルックアップテーブル５４、表示部２及び他の装置部分を制御する。
【００４１】
また、制御部５０は、濃度−露光量テーブル６０及び光源駆動値−測光値テーブル６１をメモリに保存する。濃度−露光量テーブル６０は、例えば図７（ａ）のように感光紙における発色濃度に対する露光量（０〜４０９５）のテーブルである。光源駆動値−測光値テーブル６１は、例えば図７（ｂ）のようにＬＥＤユニット３２０〜３２２の各ＬＥＤの光源駆動値（０〜１０２３）に対する測光値（０〜４０９５）のテーブルである。
【００４２】
なお、光源駆動値−測光値テーブル６１は、マルチ光源を構成する各光源（ＬＥＤ）毎に作成し、各光源（ＬＥＤ）毎に異なる各光源の特性のばらつきを補正し、各光源毎の露光量のばらつきをなくする。例えば、光源（ＢＧＲ）が上述のように各３２チャンネルで構成される場合は、３色（ＢＧＲ）×３２＝９６個の光源駆動値−測光値テーブルを作成する。また、濃度−露光量テーブル６０は、記録材料の特性を記憶するもので、例えば感光紙のロットや種類が変わる度に変更する。
【００４３】
制御部５０は、露光前に、外部のＲＩＰ４９から入力した画像データに設定された発色濃度を濃度−露光量テーブル６０で露光量に変換し、この露光量（＝測光値）から光源駆動値−測光値テーブル６１で求めた光源駆動値によりＬＥＤユニット３２０〜３２２を駆動し各ＬＥＤを発光させたときに測光部５７で測定した測光値に基づいて光源駆動値を補正する。そして、補正した光源駆動値を各画像データに対応づけてルックアップテーブル５４に露光の度に設定する。
【００４４】
次に、図１乃至図７の画像形成装置１における動作について図８のフローチャートを参照して説明する。
【００４５】
まず、光源駆動値−測光値テーブル６１を装置キャリブレーション時に作成しメモリに保存する（Ｓ０１）。例えば、１０ｂｉｔ階調の場合、ＬＥＤユニット３２０〜３２２の各ＬＥＤを０〜１０２３でそれぞれ発光させ、測光部５７で測光して、図７（ｂ）のような光源駆動値−測光値テーブル６１を作成する。この光源駆動値−測光値テーブルは、各色（ＹＭＣ）及び各チャンネル毎にそれぞれ作成する。なお、濃度−露光量テーブル６０は予めメモリに保存されている。
【００４６】
次に、外部のＲＩＰ４９からＹＭＣＫの２値網点画像データが入力すると（Ｓ０２）、２値網点画像データＣＭＹＫの組み合わせ（１次色、２次色、・・・４次色）に対してそれぞれ発色濃度が設定され、各発色濃度を図７（ａ）のような濃度−露光量テーブル６０で露光量に変換して求める（Ｓ０３）。例えば、図７（ａ）のように濃度１．５に対し露光量３０００を得る。
【００４７】
次に、上記露光量（＝測光値）から図７（ｂ）のような光源駆動値−測光値テーブル６１で各チャンネル毎に光源駆動値を求める（Ｓ０４）。例えば、図７（ｂ）のように露光量３０００に対し光源駆動値７５０を得る。
【００４８】
次に、露光前に、図３のホームポジションの位置にある光学ユニット１６を測光部５７に移動させておき、上記のように求めた光源駆動値でＬＥＤユニット３２０〜３２２を駆動し各ＬＥＤから発光させ（Ｓ０５）、測光部５７で図４の各チャンネル５９ａ〜５９ｅの光量を測光する（Ｓ０６）。
【００４９】
次に、測光部５７で測定した測光値と光源駆動値−測光値テーブル６１の測光値との差から補正係数を求める（Ｓ０７）。
【００５０】
次に、２値網点画像データＣＭＹＫの組み合わせに対応する露光量（＝測光値）に対して上記補正係数を乗算し、対応する光源駆動値を光源駆動値−測光値テーブル６１から求め（Ｓ０８）、ＬＵＴ５４に設定する（Ｓ０９）。
【００５１】
次に、装填部１２または１２’から感光紙を搬送ローラ対４０〜４２等でドラム１０に向けて搬送し、カット部１０ａで所定長さに切断した感光紙をドラム１０に巻き付け吸引ブロアＰ１を作動して吸引により保持する。次に、光学ユニット１６を副走査方向Ｈに副走査しドラム１０を主走査方向（回転方向Ｒ）に回転させ、ＬＵＴ５４で各２値網点画像データに対応づけられた光源駆動値に基づいて光学ユニット１６の各ＬＥＤを駆動して発光した光ビームで感光紙を露光する（Ｓ１０）。
【００５２】
上述の露光が終了すると、露光により感光した感光紙をドラム１０から剥離部材１５で剥離し、搬送ローラ対３２等で出口１９へと搬送し、現像ユニット２１に接続部１９ａから送り、感光紙の現像処理を行ってから（Ｓ１１）、排出部２７から集積部２８に排出し集積する（Ｓ１２）。
【００５３】
なお、上記ステップＳ０７，Ｓ０８において、１次色（Ｙ、Ｍ、Ｃ）に対応する露光量で発光させることで求めた補正係数により他の複数次色（２次色、３次色、４次色等）の補正も行う用にしているが、例えば、１次色〜４次色に対応する露光量全てについて発光させることでそれぞれ求めた補正係数により補正を行うようにしてもよい。
【００５４】
以上のように、本実施の形態によれば、実際に画像を露光する際の光源駆動値でＬＥＤユニット３２０〜３２２の各ＬＥＤを発光させ、そのときの測光値を測光部５７で測定し、求めた補正係数で補正した光源駆動値で各ＬＥＤにより露光を行うので、光源（ＬＥＤ）、Ｄ／Ａ変換部５５ａ〜５５ｃやドライバ５６ａ〜５６ｃ等の光源駆動回路、測光部５７の測光回路等に起因する誤差（光源駆動値−測光値テーブル６１のリニアリティの誤差）の影響を受け難い。このため、露光前に行われる各チャンネルの光量の補正の精度を向上できる。
【００５５】
従来までは、固定の光源駆動値で発光させて補正をおこなっていたので、補正係数を求める際の光源駆動値と実際に画像を露光する際の光源駆動値が大きく異なる場合があって、補正精度が低下してしまう場合があったのに対し、上述のように、画像データに対応する実際の露光量で補正を行うことで補正精度を確保することができる。
【００５６】
また、画像データに対応する発色濃度に極端な値が設定された場合でも、露光前にその発色濃度に対応した光源駆動値で発光させて上述のように光源駆動値の補正を行うため、光源駆動値を正確に補正できる。
【００５７】
以上のように本発明を実施の形態により説明したが、本発明はこれらに限定されるものではなく、本発明の技術的思想の範囲内で各種の変形が可能である。例えば、図８では、ＲＩＰ４９から入力する画像データをＹＭＣＫ４色の２値網点画像データとして説明したが、本発明による画像形成装置・画像形成方法は、これに限定されず、特色を含めて４色以上に対応するように構成できる。
【００５８】
また、本発明による画像形成装置・画像形成方法はカラープルーフの作成以外にも適用できることは勿論である。また、光源のチャンネル数は、３２チャンネルとして説明したが、本発明はこれに限定されず、１６チャンネル、６４チャンネル、１２８チャンネルのように、適宜増減することができる。
【図面の簡単な説明】
【００５９】
【図１】本実施の形態による画像形成装置全体の外観を示す斜視図である。
【図２】図１の画像形成装置の内部を正面側から見た図である。
【図３】図２の画像形成装置のドラム及び光学ユニットを上部から見た要部平面図である。
【図４】図３の複数のＬＥＤユニット３２０〜３２２により構成される３２チャンネル分の光源からの光ビームが並んだ状態を示す平面図である。
【図５】図４の３２チャンネルの光源からの光ビームのスポットが測光部の受光面上に並んだ状態を示す平面図である。
【図６】図１〜図３の画像形成装置１の露光ユニット１１における画像データの流れ及び画像形成装置１の制御系を示すグラフである。
【図７】図６における濃度−露光量テーブルの例を示すグラフ（ａ）であり、光源駆動値−測光値テーブルの例を示すグラフ（ｂ）である。
【図８】図１乃至図７の画像形成装置１における動作を説明するためのフローチャートである。
【符号の説明】
【００６０】
１・・・画像形成装置
２・・・表示部
１０・・・回転ドラム
１１・・・露光ユニット
１６・・・光学ユニット（露光手段）
２１・・・現像ユニット
５０・・・制御部
５４・・・ルックアップテーブル（ＬＵＴ）
５７・・・測光部（測定手段）
５９ａ〜５９ｅ・・・チャンネル
６０・・・濃度−露光量テーブル
６１・・・光源駆動値−測光値テーブル
３２０，３２１，３２２・・・ＬＥＤユニット（マルチ光源）
Ｓ・・・感光紙、銀塩カラー感光材料（記録材料）
【図１】
2005164929.tif 000003
【図２】
2005164929.tif 000004
【図３】
2005164929.tif 000005
【図４】
2005164929.tif 000006
【図５】
2005164929.tif 000007
【図６】
2005164929.tif 000008
【図７】
2005164929.tif 000009
【図８】
2005164929.tif 000010